(57)【要約】【課題】本発明は、曲げ加工性を低下させずにガイドシューを安定して支持できるシュー保持部を備えた移動体の案内装置を提供することにある。【解決手段】本発明は、移動体（３）に支持されガイドレール２に対して摺動する案内装置４を、前記ガイドレールと摺動するガイドシュー５と、このガイドシューを保持する保持体６とで構成すると共に、この保持体６を、前記移動体への取付部８と、前記ガイドシューを保持する断面Ｕ字状のシュー保持部７とで構成し、かつ、前記保持体６を鋼板を折り曲げて形成すると共に、前記シュー保持部７をヘミング曲げで形成したのである。【選択図】図１
2010149946.tif 000002
【特許請求の範囲】
【請求項１】
移動体に支持されガイドレールに対して摺動する案内装置を、前記ガイドレールと摺動するガイドシューと、このガイドシューを保持する保持体とで構成し、この保持体を、前記移動体への取付部と、前記ガイドシューを保持する断面Ｕ字状のシュー保持部とで構成した移動体の案内装置において、前記保持体を鋼板を折り曲げて形成すると共に、前記シュー保持部をヘミング曲げで形成したことを特徴とする移動体の案内装置。
【請求項２】
移動体に支持されガイドレールに対して摺動する案内装置を、前記ガイドレールと摺動するガイドシューと、このガイドシューを保持する保持体とで構成し、この保持体を、前記移動体への取付部と、前記ガイドシューを保持する断面Ｕ字状のシュー保持部とで構成した移動体の案内装置において、前記保持体を鋼板を折り曲げて形成すると共に、前記シュー保持部と取付部とをヘミング曲げで一体形成したことを特徴とする移動体の案内装置。
【請求項３】
前記保持体には、前記ガイドシューのガイドレール長手方向の移動を阻止する移動阻止具を支持する支持部が、鋼板の折曲げによって一体形成されていることを特徴とする請求項１、又は２記載の移動体の案内装置。
【請求項４】
前記取付部に、前記保持体を前記移動体へ取付けるためのボルトの貫通穴が形成されていることを特徴とする請求項１又は２記載の移動体の案内装置。
【発明の詳細な説明】
【技術分野】
【０００１】
本発明はエレベーターのガイドレールに沿って昇降する乗かごや釣合錘、さらにはガイドレールに沿って移動する機器等の移動体の案内装置に係り、特に、ガイドレールと摺動するガイドシューを保持する保持体を工夫した移動体の案内装置に関する。
【背景技術】
【０００２】
ガイドレールと摺動するガイドシューを保持して移動体に取付けられる保持体は、例えば特許文献１に示すように、鋳造品や切削加工して形成されるものがほとんどである。しかしながら、このようにして形成された保持体は、重量があり、移動体の重量を増加させる要因となっている。
【０００３】
そこで、特許文献２に示すように、ガイドシューを保持する保持体を鋼板の折曲げにより形成した案内装置も提案されている。
【０００４】
【特許文献１】特開２００１−２６１２５９号公報
【特許文献２】実公昭５０−１２８５６号公報
【発明の開示】
【発明が解決しようとする課題】
【０００５】
上記特許文献２に開示の案内装置は、鋼板の折曲げにより形成されているために、重量的には軽く、移動体の重量増加を低減できる点では有効である。
【０００６】
しかしながら、ガイドシューを保持するシュー保持部が１枚板で形成されているので、移動体の重量によってシュー保持部が変位したり揺れ動いたりすることがある。
【０００７】
そこで、鋼板の板厚を厚くして変位や揺れ動くのを抑制することが考えられるが、鋼板の板厚を厚くすると、曲げ加工性が低下する問題が新たに発生する。
【０００８】
本発明の目的は、曲げ加工性を低下させずにガイドシューを安定して支持できるシュー保持部を備えた移動体の案内装置を提供することにある。
【課題を解決するための手段】
【０００９】
本発明は上記目的を達成するために、移動体に支持されガイドレールに対して摺動する案内装置を、前記ガイドレールと摺動するガイドシューと、このガイドシューを保持する保持体とで構成すると共に、この保持体を、前記移動体への取付部と、前記ガイドシューを保持する断面Ｕ字状のシュー保持部とで構成した移動体の案内装置において、前記保持体を鋼板を折り曲げて形成すると共に、前記シュー保持部をヘミング曲げで形成したのである。
【発明の効果】
【００１０】
このように、本発明は、シュー保持部をヘミング曲げ加工することで、シュー保持部は２枚の鋼板が密着された二重板構成となるので、強度や剛性が増し、その結果、ガイドシューを安定して支持できるので、シュー保持部の変位や揺れ動きを防止することができる。そして、鋼板の板厚を増加させないので、曲げ加工性を低下させることはない。
【００１１】
したがって、曲げ加工性を低下させずにガイドシューを安定して支持できるシュー保持部を備えた移動体の案内装置を得ることができる。
【発明を実施するための最良の形態】
【００１２】
以下、本発明による移動体の案内装置を、図１〜図３に示すエレベーターの乗かごの案内装置に基づいて説明する。
【００１３】
図３に示すように、図示しない昇降路の壁面にブラケット１を介してガイドレール２が垂直に敷設されている。一方、移動体である乗かご３には、前記ガイドレール２に沿って摺動する案内装置４が取付けられている。
【００１４】
案内装置４は、ガイドシュー５と、このガイドシュー５を保持する保持体６とを有し手いる。
【００１５】
前記保持体６は、図１に示すように、前記ガイドシュー５を保持する断面Ｕ字状の溝を有するシュー保持部７と、乗かご３への取付部８とを一体に形成されている。そして、これらシュー保持部７と取付部８とは、鋼板の折曲げにより形成されており、しかも、鋼板を重ね合わせて密着させたヘミング曲げにより形成されている。
【００１６】
一方、ガイドシュー５は、前記ガイドレール２と対向する側に、例えば、樹脂製やメタル等からなる滑り部材９を配置して摺動させ、滑り部材９の背面側には前記シュー保持部７の断面に嵌合される防振ゴム１０を接着や加硫等の周知の結合手段を介して一体化させている。これら滑り部材９や防振ゴム１０からなるガイドシュー５の長さは、前記シュー保持部７の高さ方向の寸法と略同じ寸法に形成されており、図２に示すように、ガイドシュー５は断面Ｕ字状のシュー保持部７に装着される。
【００１７】
このほか、前記保持体６の上下端でシュー保持部７の両側には、夫々支持部１１Ａ，１１Ｂが折曲げ成形されている。そして、これら支持部１１Ａ，１１Ｂに移動阻止具である移動防止板１２Ａ，１２Ｂをねじ類１３により固定することで、図２に示すように、前記シュー保持部７内に装着されたガイドシュー５の上下方向の移動を規制している。
【００１８】
ところで、保持体６の取付部８には、へミング曲げ加工後にボルト１４の貫通穴８Ｈが形成され、この貫通穴８Ｈにボルト１４を貫通させて乗かご３側に締結することで、案内装置４を乗かご３側に固定している。
【００１９】
以上説明したように、本実施の形態によれば、ガイドシュー５を保持するシュー保持部７の断面Ｕ字状の溝の周囲を鋼板のへミング曲げ加工により二重板構成としたので、断面Ｕ字状の溝の周囲の強度や剛性が増し、その結果、ガイドシュー５を安定して支持できるので、シュー保持部７の変位や揺れ動きを防止することができる。そして、使用する鋼板の板厚を増加させないので、曲げ加工性を低下させることはない。
【００２０】
ところで、上記実施の形態においては、保持体６の取付部８もへミング曲げ加工により形成したが、取付部８は１枚の鋼板で形成しても良い。
【００２１】
さらに、上記実施の形態においては、シュー保持部７内のガイドシュー５の移動を防止するために、取付部８の上下端を折り曲げて、移動防止板１２Ａ，１２Ｂを取付ける支持部１１Ａ，１１Ｂを設けたが、ガイドシュー５とガイドシュー保持部７との間で、ガイドシュー５の移動防止策が講じられていれば、前記支持部１１Ａ，１１Ｂと移動防止板１２Ａ，１２Ｂは不要である。
【００２２】
また、本実施の形態においては、移動体として乗かご３を説明したが、エレベーターの釣合錘の案内装置にも適用でき、さらに、ガイドレールに沿って移動する移動体であれば、本発明の案内装置を適用できるのは云うまでもない。
【図面の簡単な説明】
【００２３】
【図１】本発明による移動体の案内装置を示す分解斜視図。
【図２】本発明による移動体の案内装置を示す斜視図。
【図３】本発明による移動体の案内装置をエレベーター乗かごに適用した概略平面図。
【符号の説明】
【００２４】
１…ブラケット、２…ガイドレール、３…乗かご、４…案内装置、５…ガイドシュー、６…保持体、７…シュー保持部、８…取付部、８Ｈ…貫通穴、９…滑り部材、１０…防振ゴム、１１Ａ，１１Ｂ…支持部、１２Ａ，１２Ｂ…移動防止板、１３…ねじ類、１４…ボルト。
【図１】
2010149946.tif 000003
【図２】
2010149946.tif 000004
【図３】
2010149946.tif 000005